Podtech/llm-jp-corpus-v4-ja_patent huggingface dataset:
(57)【要約】      （修正有）【課題】便座開閉の手の位置を明確にすると共に便座開閉の清潔度をアップさせる。【解決手段】便器に手の触れる恐れのない位置に開閉操作取手２を設け、便座側面のほぼ中央とし、取手２を便座両側面に２箇所取り付けるか、便座を上げる力を小さくする為、位置可変可能な錘を取り付けるなどの開閉助力装置を設ける。開閉操作部は、取手受座１と取手２が容易に分割出来る構造とするか、取手２と便座を一体成型した場合は袋状のカバーを取り付けできるできる構造として袋状のカバーを交換することにより清潔性を確保する。【選択図】図１
0003121646.tif 000002
【実用新案登録請求の範囲】
【請求項１】
便座開閉用の取手▲２▼を一体成型した便座。
【請求項２】
便座開閉用の取手▲２▼を交換可能にする取手受座▲１▼を一体成型にした便座。
【考案の詳細な説明】
【技術分野】
【０００１】  この考案は、洋式便器の便座開閉を清潔にできるものである。
【背景技術】
【０００２】  従来の洋式便器は便器本体と便座を最小単位として構成され、男子の小便時は便座を上側に持ち上げる必要がある。便座は便器より少し大きく、便器上面より浮かせた状態にしてあるため、大人の便座開閉にそれ程衛生上の支障はない。子供の場合は便座の内側まで指を入れて便座を上げることが多く、便器に手が触れるという衛生上の問題がある。
【考案が解決しようとする課題】
【０００３】  洋式便器で男性が小便をする時は便座を上げてやらねばならないが、その位置や方法は明らかに表示されていない。本考案は、便座開閉の手の位置を明確にすると共に便座開閉の清潔度をアップさせるものである。
【課題を解決する手段】
【０００４】  この取手▲２▼は大便時に邪魔にならないことと、便器から離れて清潔性が確実に保たれること、さらに操作に支障を感じない位置に設置しなければならない。
その位置は便座の側面の中央付近であるが、便座開閉時に必要な力はほぼ倍の力を必要とする。  このため、両手で便座の開閉ができるよう取手▲２▼を両サイドに取り付けるか、取付け位置に応じた調整可能なおもりを設けるなどの開閉助力装置により幼児でも開閉可能な状態にする。
【考案を実施するための最良の形態】
【０００５】  便座開閉助力装置の取り付けられる取手受座▲１▼を便座側面に一体成型するか取手▲２▼と便座を一体成型とする。
本考案により便座開閉位置が明確となり、取手▲２▼の形状を問うことなく便座開閉時の清潔性をアップできる。この取手に交換可能な消毒マット等の取り付けをすることにより便座開閉時の清潔性を大幅に改善できる。
【考案の効果】
【０００６】  洋式便器の便座開閉操作が、老幼男子を問わず清潔に出来る。
【図面の簡単な説明】
【図１】  本図は、構造概要の一例である。イ図は取手受座▲１▼は便座と一体成型されている。取手受座▲１▼には開閉操作を円滑にする為のＡ：錘支持アーム、Ｂ：錘、Ｃ：錘▲１▼固定ビスが付属する。取手受座▲１▼は取手▲２▼の交換を容易に行え、且つ長期間頻繁な開閉操作に耐える構造と材質とする。本図は取手受け▲１▼に設けられた溝部に取手▲２▼を差し込む方法であり、取手▲２▼と受座▲１▼をネジ式にしたり、一体成型（ロ図）することもできる。
【符号の説明】
▲１▼：取手受座
▲２▼：取手
開閉助力装置  Ａ：錘支持アーム
Ｂ：錘
Ｃ：錘位置固定ネジ
【図１】
0003121646.tif 000003
(57)【要約】      （修正有）【課題】  従来は納骨蓋を取り外さなければ納骨できなかった。それを納骨蓋に回転用軸を付ける事によって、納骨蓋を取り外さなくても回転用軸を中心に手前斜め下方向に倒すだけで容易にお骨を納められるようにした。【解決手段】  納骨蓋（１）が、中台（２）から外れないように両脇に回転用軸（５）を付け、中台骨穴（７）に付けた回転用軸受け（６）にはめ込む。また、お骨を納骨蓋（１）の上を通して納骨室（８）に納める時に、両脇にこぼれないようにこぼれ止め（４）を納骨蓋（１）に付ける。【選択図】図２
0003121647.tif 000002
【実用新案登録請求の範囲】
【請求項１】
納骨蓋（１）に開閉用指差込穴（３）とこぼれ止め（４）、そして回転用軸（５）（左右各１）を付け、中台骨穴（７）の左右の回転用軸受け（６）に納骨蓋（１）の回転用軸（５）を合わせて取付けて、回転軸を中心に手前斜め下方向に納骨蓋を倒し、そのまま納骨蓋（１）がスロープとなって簡単に納骨出来る可倒式納骨蓋。
【考案の詳細な説明】
【考案の詳細な説明】
【考案の属する分野】
【０００１】この考案は、納骨穴を塞いでいる納骨蓋を取り外さずにそのまま簡単に納骨する方法である。
【背景技術】
【０００２】従来、納骨蓋は納骨の度に取り外されていた。
【考案が解決しようとする課題】
【０００３】これは、次のような欠点があった。
（イ）納骨する時に、納骨穴を塞いでいる納骨蓋を別の場所に置かなければなかった。
（ロ）納骨穴が大きいと納骨蓋も大きくなり、老人や女性、子供だけで納骨する時など別の場所に置く事が困難だった。
（ハ）納骨蓋を別の場所に置く時に破損する事があった。
（ニ）納骨する時には、お骨を一度手に取りそれから納骨穴から納骨室に納めなければなかった。
【問題を解決するための手段】
【０００４】  開閉用指差込穴（３）とこぼれ止め（４）、そして回転用軸（５）の付いた納骨蓋（１）を、回転用軸受け（６）を付けて納骨穴加工した中台（２）に取り付ける。
本考案は、以上のような構成からなる可倒式納骨蓋である。
【作用】
【０００５】  開閉用指差込穴（３）に指をかけて手前斜め下方向に納骨蓋（１）を倒し、その上にお骨を落とすとそのまま中台骨穴（７）を通って納骨室（８）にお骨が納まる。
【実施例】
【０００６】以下、翻案の実施例について説明する。
（イ）納骨蓋（１）に開閉用指差込穴（３）を開け、こぼれ止め（４）と回転用軸（５）を左右に付ける。
（ロ）中台（２）に前方から斜め奥下方向に中台骨穴（７）を作り、回転用軸受け（６）を左右に付ける。
（ハ）上台（９）に前方から斜め奥下方向に上台骨穴（１０）を作り、回転用軸受け（１１）を左右に付ける。
（ニ）芝台（１２）に前方から斜め奥下方向に芝台骨穴（１３）を作り、回転用軸受け（１１）を左右に付ける。
【考案の効果】
【０００７】  本案は以上のような構造で、納骨する時に納骨蓋（１）を取り外す事無く、開閉用指差込穴（３）に指をかけて手前斜め下方向に倒し、骨箱や骨壷から直接お骨を納骨蓋（１）の上を滑らせて納骨室（８）に納め、納骨蓋（１）を元に戻して蓋をする事が出来る。
【図面の簡単な説明】
【図１】  本考案の斜視図である。
【図２】  本考案の開口時の斜視図である。
【図３】  本考案の分解図である。
【図４】  本考案の実施例を示す斜視図である。
【図５】  本考案の実施例を示す断面図である。
【図６】  本考案の他の実施例を示す斜視図である。
【図７】  本考案の他の実施例を示す断面図である。
【図８】  本考案の他の実施例を示す斜視図である。
【図９】  本考案の他の実施例を示す断面図である。
【符号の説明】
１  納骨蓋    ２  中台    ３  開閉用指差込穴    ４  こぼれ止め
５  回転用軸    ６  回転用軸受け    ７  中台骨穴    ８  納骨室
９  上台    １０  上台骨穴    １１  芝台    １２  芝台骨穴
【図１】
0003121647.tif 000003
【図２】
0003121647.tif 000004
【図３】
0003121647.tif 000005
【図４】
0003121647.tif 000006
【図５】
0003121647.tif 000007
【図６】
0003121647.tif 000008
【図７】
0003121647.tif 000009
【図８】
0003121647.tif 000010
【図９】
0003121647.tif 000011
(57)【要約】【課題】玩具エアガンのＢＢ弾を給弾するために使われるマガジンのゼンマイを巻かれていない状態にモーターのスイッチが入り、巻き上がった状態でスイッチが切れる、その状態を交互に繰り返し自動でゼンマイを巻き上げるマガジンのために使用される。【解決手段】ゼンマイの状態の大きさを利用してゼンマイが巻かれていない状態時に電気が入り、ゼンマイが巻き上がった状態に電気が切れるスイッチを設けたことを特徴にする電動巻上げマガジン。【選択図】図２
0003121644.tif 000002
【実用新案登録請求の範囲】
【請求項１】
玩具エアガンのＢＢ弾を給弾するゼンマイ部分をモーターで巻き上げるマガジン、そのゼンマイが巻かれていない時にモーターを回し、ゼンマイを巻き上げた時にモーターを止める、これを交互に繰り返しゼンマイを自動で巻き上げることを特徴としたマガジン。
【考案の詳細な説明】
【技術分野】
【０００１】本考案は、玩具エアガンのＢＢ弾を給弾するために使われるマガジンのゼンマイを巻かれていない状態にモーターのスイッチが入り、巻き上がった状態でスイッチが切れる、その状態を交互に繰り返し自動でゼンマイを巻き上げるマガジンのために使用される。
【背景技術】
【０００２】玩具エアガンの電動巻上げマガジンはゼンマイを巻き上げるために手動のスイッチを操作してゼンマイを巻き上げます。
【考案の開示】
【考案が解決しようとする課題】
【０００３】１．  ゼンマイを巻くたびに手動のスイッチを操作しなければならない。
２．  ゼンマイを手動のスイッチを操作して巻き上げた場合、巻き上がった状態が分からないため、不要な電気が必要。
３．  手動のスイッチのためのスペースが必要。
【課題を解決するための手段】
【０００４】以上の課題を解決するために、ゼンマイの状態の大きさを利用してゼンマイが巻かれていない状態時に電気が入り、ゼンマイが巻き上がった状態に電気が切れるスイッチを設けたことを特徴にする電動巻上げマガジン。
【考案の効果】
【０００５】ゼンマイ自体にスイッチをするため、手動で操作していたスイッチを操作する必要がない。また、ゼンマイが巻き上がった状態で電気が切れるため、電気の無駄がない。ゼンマイ自体に電気を通すためのスイッチを置くスペースが不要。
【考案を実施するための最良の形態】
【０００６】以下、本考案を図の具体例を用いて詳細に説明する。
【実施例】
【０００７】図１はゼンマイが巻かれていない状態である。ゼンマイ４を巻き上げる為のモーター８の動力はゼンマイの中心１へつながっている。
ゼンマイの端２と６は配線でつながっており、接点３と７も配線でつながっている。ゼンマイ４は金属である。図１の状態では接点３とゼンマイ４は接触している。電池９からの電気は６からゼンマイの端２を通り、ゼンマイ４の金属を通して接点３を通り７を通じてモーター８を回します。
モーターの動力５はゼンマイの中心１を回してゼンマイ４を巻き上げる。
ゼンマイ４は中心部分から巻かれてゆき、ゼンマイ４が完全に巻き上がると図２の状態になり接点３と離れて電気が止まります。
エアガンのＢＢ弾を給弾する為にゼンマイ４の動力を使うと図１の状態になり、図１と図２の状態を繰り返します。
【図面の簡単な説明】
【０００８】
【図１】この考案のゼンマイを巻いていない状態を示す。
【図２】この考案のゼンマイが巻き上がった状態を示す。
【符号の説明】
【０００９】  １  ゼンマイの中心            ２  ゼンマイの端
３  接点                      ４  ゼンマイ
５  モーター動力              ６  ゼンマイの端［２］へ
７  接点［３］へ              ８  モーター
９  電池                    １０  配線
【図１】
0003121644.tif 000003
【図２】
0003121644.tif 000004
(57)【要約】      （修正有）【課題】岩盤浴装置において発汗作用による健康増進だけでなく、電子静電場を発生させ体を還元状態にさらし血行促進を促すことにより、より健康増進を図る。【解決手段】ヒーター３で暖める天然石又は人工石又は陶板１をもった岩盤浴装置に、電器装置としての電子静電場発生装置７を設置して電子静電場を発生させる。【選択図】図１
0003121645.tif 000002
【実用新案登録請求の範囲】
【請求項１】
岩盤浴装置に電子静電場発生装置を設置することにより、ヒーターで暖められた天然石又は人工石又は陶板からの放熱による体の発汗作用と、電子静電場発生装置から電子静電場を発生させ体を還元状態にさらしての血行促進作用という二つの効果を併せもった、電子静電場発生装置付き岩盤浴装置。
【考案の詳細な説明】
【技術分野】
【０００１】  本考案は、電子静電場発生装置を設置した岩盤浴装置に関するものである。
【背景技術】
【０００２】  天然石や人工石や陶板などを暖め、そこに体を横たわることにより発汗作用を促し新陳代謝を活発にして健康増進や痩身効果や美容効果を得る岩盤浴装置がある。
【特許文献１】  登録実用新案第３１０５１９３号公報
【考案の開示】
【考案が解決しようとする課題】
【０００３】  天然石や人工石や陶板などを暖めその上に体を横たわることにより発汗作用を促し新陳代謝を活発にして健康増進効果を得ていたが、併せて電子静電場発生装置を設けて電子静電場を発生させ、体を還元状態にさらして血行促進し新陳代謝を活発にして健康増進や痩身効果や美容効果を得る岩盤浴装置は確認されない。
【課題を解決するための手段】
【０００４】  ヒーターで暖める天然石又は人工石又は陶板をもった岩盤浴装置に、電子静電場発生装置を設置して電子静電場を発生させる。
【考案の効果】
【０００５】  岩盤浴装置の天然石や人工石や陶板などを暖めそこに体を横たわることにより発汗作用を促し新陳代謝を活発にして健康増進させるだけではなく、電子静電場を発生させ体を還元状態にさらすことにより血行促進作用を得て、その二つの効果を併せることによってより健康増進や痩身効果や美容効果を得ることができる。
【実施例１】
【０００６】  以下、本考案の実施の形態について説明する。
通電し易く、かつ使用者（１１）の体重を支えられるステンレスやアルミなどの素材でできた電子導電板（２）の上部に、天然石又は人工石又は陶板（１）を使用者（１１）が横たわるのに充分な面積に敷きつめ、下部には天然石又は人工石又は陶板（１）を暖めるための電熱ヒーター（３）を取り付ける。その下部には放熱効果を上げるための断熱板（４）を設け、それらを支柱（５）と碍子やガラスなどの帯電しづらい絶縁体（６）で支え構成された岩盤浴装置。その岩盤浴装置に設けられた電子静電場発生装置本体（７）により電源コード（１０）から入る交流１００Ｖの電気を直流の−１，０００Ｖ〜−１０，０００Ｖに変換し、その電気を電導線（８）を通して電子導電板（２）に送電して静電場を発生させる。電子静電場発生装置本体（７）に接続する電気コントローラー（９）は電源のオン・オフや電力の強弱や稼働時間の設定などを機能する。
本考案は、以上の構成になっている。
これを使用する時には、天然石又は人工石又は陶板（１）の上部に使用者（１１）が横たわり、電気コントローラー（９）を使用して電熱ヒーター（３）と電子静電場発生装置本体（７）の電源を入れ稼働させる。また電気コントローラー（９）を使い、天然石又は人工石又は陶板（１）の温度調節や電子導電板（２）の静電場の強弱やオン・オフの稼働タイマーを設定して、より快適な使用状況にて使用する。
【図面の簡単な説明】
【０００７】
【図１】本考案の使用時の断面図である。
【図２】本考案の斜視図である。
【符号の説明】
【０００８】１  天然石又は人工石又は陶板
２  電子導電板
３  電熱ヒーター
４  断熱板
５  支柱
６  絶縁体
７  電子静電場発生装置本体
８  導電線
９  電気コントローラー
１０  電源コード
１１  使用者
【図１】
0003121645.tif 000003
【図２】
0003121645.tif 000004
(57)【要約】【課題】一般的な家庭の食卓でも手軽且つ容易に竹かっぽ酒を楽しむことができる竹かっぽ燗付台を提供する。【解決手段】竹かっぽ燗付台６を、卓上コンロ５の五徳の外周に嵌合可能に金属製の番線で矩形状に形成された底面フレーム６ａと、底面フレーム６ａの一辺から立設され竹カッポ１の胴体を中空に保持する金属番線製の側面保持フレーム６ｂと、該側面保持フレーム６ｂ側の底面フレーム６ａの対辺に突設され竹カッポ１の底面を支持すると共に、前記側面保持フレーム６ｂよりも高さが低く形成された金属番線製の底面支持フレーム６ｃとから構成する。【選択図】  図１
0003121375.tif 000002
【実用新案登録請求の範囲】
【請求項１】
卓上コンロの五徳の外周に嵌合可能に矩形状に形成された底フレームと、底フレームの一辺から立設され竹かっぽの胴体を空中に保持する竹かっぽ側面保持フレームと、該竹かっぽ側面保持フレーム側の底フレームの対辺に突設され竹かっぽの底面を支持すると共に、前記竹かっぽ側面保持フレームよりも高さが低く形成された竹かっぽ底面支持フレームとからなることを特徴とする竹かっぽ燗付台。
【考案の詳細な説明】
【技術分野】
【０００１】
本考案は、竹筒を利用した酒燗器に関するものである。
【背景技術】
【０００２】
酒燗器として、竹筒（以下、竹かっぽと称する）を用いる技術は知られているが、従来は囲炉裏火等を利用して燗付けされる。すなわち、竹かっぽを囲炉端に配置し、その輻射熱によって燗する方法が採られてきた。この方法によれば、燗される過程で竹かっぽ容器自体に含まれる成分、例えば、糖分、クロロフィルＡ及びＢ、フェオフィティン、β−カロチン、バンフォリンなどが溶出してこれらが総合して燗された酒を美味にすることが知られている。
【０００３】
また、節の下部を輪切りにして底部を形成すると共に、節の上方を斜めに切断して頂面部を形成した天然竹材の有底容器と、同竹筒の頂部で前記竹筒の胴部を支承する被燗酒を収容した天然竹材の有底容器が、その底部部分を前記係止台の突部に係止状態で支持させると共に、その開口部寄りの部分を前記した支持壁で支持させることによって、傾斜状態で配設される酒燗器（特許文献１参照。）や内部に携帯コンロを配した係止台部と、天然竹材の有底容器からなる酒燗器（特許文献２参照。）等が提案されている。
【０００４】
【特許文献１】実公平５−１３３１６号公報
【特許文献２】特許第２９１５３９２号公報
【考案の開示】
【考案が解決しようとする課題】
【０００５】
しかしながら、上記文献に記載のものはいずれも携帯固形燃料を使用するもので、一般的な家庭の食卓で手軽に燗付けできるものとは言い難く、使用の都度固形燃料を交換しなければならず煩わしい。本考案は上記のような課題に鑑み、一般的な家庭の食卓でも手軽且つ容易に竹かっぽ酒を楽しむことができる竹かっぽ燗付台を提供することを目的とする。
【課題を解決するための手段】
【０００６】
このため本考案の竹かっぽ燗付台は、卓上コンロの五徳の外周に嵌合可能に矩形状に形成された底フレームと、底フレームの一辺から立設され竹かっぽの胴体を空中に保持する竹かっぽ側面保持フレームと、該竹かっぽ側面保持フレーム側の底フレームの対辺に突設され竹かっぽの底面を支持すると共に、前記竹かっぽ側面保持フレームよりも高さが低く形成された竹かっぽ底面支持フレームとからなることを特徴とする。
【考案の効果】
【０００７】
本考案によれば、一般的な家庭の食卓でも手軽且つ容易に竹かっぽ酒を楽しむことができる。
【考案を実施するための最良の形態】
【０００８】
以下、本考案の実施の形態を図面に示す実施例に基づいて説明する。
図１は本考案に係る竹かっぽ燗付台の使用状態を示す斜視図、図２は本考案に係る竹かっぽ燗付台を示す斜視図である。
【実施例】
【０００９】
図１乃至図２に示すように、竹かっぽ１は、孟宗竹を材料とし、これをその節付近で切断して底部２とし、他端を斜めに切断して開口部３として形成したものである。この開口部３から竹かっぽ１内に一定量の酒４が投入収容される。
【００１０】
この竹かっぽ１は、カセットボンベ式の卓上コンロ５にて燗されるが、卓上コンロ５の五徳の外周に嵌合可能に金属製の番線で矩形状に形成された底フレーム６ａと、底フレーム６ａの一辺から立設され竹カッポ１の胴体を中空に保持する金属番線製の竹かっぽ側面保持フレーム６ｂと、該竹かっぽ側面保持フレーム６ｂ側の底フレーム６ａの対辺に突設され竹カッポ１の底面を支持すると共に、前記竹かっぽ側面保持フレーム６ｂよりも高さが低く形成された金属番線製の竹かっぽ底面支持フレーム６ｃとからなる竹かっぽ燗付台６でもって卓上コンロ５上に傾斜して載置される。
【００１１】
このように構成された本実施例を使用する場合は、先ず、竹かっぽ１に所要量の酒を入れた後、竹かっぽ１の底部２を竹かっぽ底面支持フレーム６ｃに係止させると同時に竹かっぽ１の胴部を竹かっぽ側面保持フレーム６ｂの凹所７に乗せかけて竹かっぽ燗付台６に載置する。次いで、卓上コンロ５を点火させ、その熱源を利用して竹かっぽ１を介してその内部のお酒を温める。そして、お酒が温まるにともない、竹かっぽ１から滲み出す竹に含まれる成分からなる液は、酒に滲み込み、酒をまろやかな野趣に富んだこくのある味にする。
【００１２】
尚、本実施例では、各フレームを金属製の番線で形成しているが、例えば竹かっぽと同様な竹製や難燃性の合成樹脂等、その材質はとくに制限されない。
【図面の簡単な説明】
【００１３】
【図１】本考案に係る竹かっぽ燗付台の使用状態を示す斜視図である。
【図２】本考案に係る竹かっぽ燗付台を示す斜視図である。
【符号の説明】
【００１４】
１    竹かっぽ
２    底部
３    開口部
４    酒
５    卓上コンロ
６    竹かっぽ燗付台
６ａ  底フレーム
６ｂ  竹かっぽ側面保持フレーム
６ｃ  竹かっぽ底面保持フレーム
７    凹所
【図１】
0003121375.tif 000003
【図２】
0003121375.tif 000004
(57)【要約】【課題】ブラジャー等の乳房カップ部を有する衣類に対し、加齢に伴う乳房下垂を表現する機能を有する乳房カップを提供する。【解決手段】乳房カップ部１、乳房支持具２及び前面土台部３等から構成される、ブラジャー等の乳房カップ部を有する衣類の乳房カップ形状を乳房カップ中央部の垂直断面において下垂した構造とすることを特徴とし、乳房カップ部に加齢に伴う乳房下垂を表現する機能を有する乳房カップ。【選択図】図１
0003121323.tif 000002
【実用新案登録請求の範囲】
【請求項１】
ブラジャー等の乳房カップ部を有する衣類において、加齢に伴う乳房下垂を表現する機能を備える目的で、乳房カップ形状を乳房カップ中央部の垂直断面において下垂した構造とすることを特徴とした、ブラジャー等の乳房カップ部を有する衣類の乳房カップ。
【考案の詳細な説明】
【技術分野】
【０００１】本考案は、ブラジャー等の乳房カップ部を有する衣類に関するもので、特に、加齢に伴う乳房下垂を表現する機能を備えたブラジャー等の乳房カップに関するものである。
【背景技術】
【０００２】身体が加齢と共に成長し老化していくのと同様に、乳房も成長し老化していく。すなわち乳房が成長後、加齢に伴い下垂するのは生理現象である。しかし、従来のブラジャー等の乳房カップ部を有する衣類には、乳房の加齢に伴う下垂を表現する機能が乳房カップに不足していた。
【考案の開示】
【考案が解決しようとする課題】
【０００３】このため、従来のブラジャー等の乳房カップ部を有する衣類では、加齢に伴う乳房下垂を表現する機能が乳房カップに不足するという問題があった。本考案は、乳房カップ部に加齢に伴う乳房下垂を表現する機能を有する乳房カップを提供することを目的とする。
【課題を解決するための手段】
【０００４】そこで、乳房カップ部、乳房支持具及び前面土台部等から構成される、ブラジャー等の乳房カップ部を有する衣類の乳房カップ形状を乳房カップ中央部の垂直断面において下垂した構造とし、乳房カップ部に加齢に伴う乳房下垂を表現する機能を有する乳房カップを提供する。「図１」
【考案の効果】
【０００５】本考案の乳房の加齢に伴う下垂を表現する乳房カップは、加齢に伴う乳房下垂を表現する機能を有する、ブラジャー等の乳房カップ部を有する衣類を提供できる。
【考案を実施するための最良の形態】
【０００６】以下、図面を用い本考案の実施例を説明するが、本考案はこれに限定されるものではない。【０００７】「図１」は、本考案をブラジャーに用いた一実施例を説明するための、乳房カップ中央部の垂直断面図である。乳房は加齢に伴い下垂していくが、従来のブラジャーには、乳房の加齢に伴う下垂を表現する機能が乳房カップに不足していた。そこで、乳房カップ部１、乳房支持具２及び前面土台部３等から構成されるブラジャーの乳房カップの形状を、乳房カップ中央部の垂直断面において下垂した構造とし、乳房の加齢に伴う下垂を表現する機能が乳房カップ部に不足するという問題を解決した。
【図面の簡単な説明】
【０００８】
【図１】本考案の一実施例であるブラジャーの乳房カップ中央部の垂直断面図である。
【図２】本考案の一実施例であるブラジャーの正面図である。
【符号の説明】
【０００９】１  乳房カップ部
２  乳房支持具
３  前面土台部
【図１】
0003121323.tif 000003
【図２】
0003121323.tif 000004
(57)【要約】【課題】ブラジャー等の乳房カップ部を有する衣類に、日常動作等に伴う乳房の動きを支持する機能を有する乳房カップ内乳房支持具を提供する。【解決手段】乳房カップ部１、乳房支持具２及び前面土台部３等から構成されるブラジャー等の乳房カップ部を有する衣類の、乳房カップ部１の内側に乳房カップ内乳房支持具４を備える構造を特徴とし、日常動作等に伴う乳房の動きを支持する機能を有する乳房カップ内乳房支持具。【選択図】図１
0003121322.tif 000002
【実用新案登録請求の範囲】
【請求項１】
ブラジャー等の乳房カップ部を有する衣類の乳房カップ部内側に、乳房支持を目的とした乳房支持具を有することを特徴とする、ブラジャー等の乳房カップ部を有する衣類の乳房カップ内乳房支持具。
【考案の詳細な説明】
【技術分野】
【０００１】本考案は、ブラジャー等の乳房カップ部を有する衣類の乳房支持具に関するもので、特に日常動作等に伴う乳房の動きを支持する機能を備えた、乳房カップ内乳房支持具に関するものである。
【背景技術】
【０００２】体幹上部にて、日常動作等の影響を受け、最も移動するのが乳房である。しかし、従来のブラジャー等の乳房カップ部を有する衣類には、日常動作等に伴う乳房の動きを支持する機能が不足していた。
【考案の開示】
【考案が解決しようとする課題】
【０００３】このため、従来のブラジャー等の乳房カップ部を有する衣類には、日常動作等に伴う乳房の動きを支持する機能が不足するという問題があった。本考案は、日常動作等に伴う乳房の動きを支持する機能が不足するという問題を解決した乳房カップ内乳房支持具を提供することを目的とする。
【課題を解決するための手段】
【０００４】そこで、ブラジャー等の乳房カップ部を有する衣類に、日常動作等に伴う乳房の動きを支持する機能が不足するという問題を解決するため、ブラジャー等の乳房カップ部を有する衣類の乳房カップ部内側に乳房支持を目的とした乳房カップ内乳房支持具を装置する構造とし、ブラジャー等の乳房カップ部を有する衣類の日常動作等に伴う乳房の動きを支持する機能が不足するという問題を解決した、乳房カップ内乳房支持具を提供する。「図１」
【考案の効果】
【０００５】本考案のブラジャー等の乳房カップ部を有する衣類の乳房カップ内乳房支持具は、日常動作等に伴う乳房の動きを支持する機能を有するブラジャー等の乳房カップ部を有する衣類を提供できる。
【考案を実施するための最良の形態】
【０００６】以下、図面を用い本考案の実施例を説明するが、本考案はこれに限定されるものではない。【０００７】「図１」は本考案のブラジャー等の乳房カップ部を有する衣類の乳房カップ内乳房支持具をブラジャーに用いた一実施例である。乳房は自ら動く機能を有しないが、体幹上部に位置するため、日常動作および重力等の影響を受けて、体幹上部で最も移動する。ゆえに、ブラジャーの機能として求められる乳房の形状を美しく表現する役割において、日常動作等に伴う乳房の動きを支持する機能が不足するという問題の解決は重要となる。そこで、乳房カップ部１、乳房支持具２及び前面土台部３等から構成されるブラジャーの乳房カップ部１の内側に乳房支持を目的とした乳房カップ内乳房支持具４を装置することで、乳房の動きを支持する機能が得られ、日常動作等に伴う乳房の動きを支持する機能が不足するという問題を解決した。
【図面の簡単な説明】
【０００８】
【図１】本考案の一実施例であるブラジャーの乳房カップ中央部垂直断面図である。
【図２】本考案の一実施例であるブラジャーの内側正面図である。
【符号の説明】
【０００９】１  乳房カップ部
２  乳房支持具
３  前面土台部
４  乳房カップ内乳房支持具
【図１】
0003121322.tif 000003
【図２】
0003121322.tif 000004
(57)【要約】【課題】野球バットを室内の装飾のため、あるいは特別の思い出等のある野球バットを記念のため保存・展示し、鑑賞するための装飾野球バットスタンドを提供する。【解決手段】野球バットの柄部を支えて斜めの状態で支持できるようにした支持体と、該支持体を立設するための嵌込み凹部及び前記野球バットの先端部を嵌込むよう曲面凹部とが設けられた基盤からなる装飾野球バットスタンドである。支持体及び基盤は、屋久杉材など高樹齢木質材が用いられ、自然木の形状や感触をできるだけ残すようにして製作される。【選択図】図１
0003121335.tif 000002
【実用新案登録請求の範囲】
【請求項１】
野球バットの柄部を支えて斜めの状態で支持できるようにした支持体と、該支持体を立設するための嵌込み凹部及び前記野球バットの先端部を嵌め込むよう曲面凹部とを設けた基盤とからなる装飾野球バットスタンド。
【請求項２】
支持体と基盤がそれぞれ高樹齢木質材からなることを特徴とする請求項１記載の装飾野球バットスタンド。
【請求項３】
前記高樹齢木質材が屋久杉材であることを特徴とする請求項１又は請求項２記載の装飾野球バットスタンド。
【考案の詳細な説明】
【技術分野】
【０００１】
本考案は、野球バットを装飾あるいは記念等のため展示・鑑賞するときに用いる装飾野球バットスタンドに関する。
【背景技術】
【０００２】
野球バットスタンドとしては、一般の野球グランドで野球やソフトボールをする時、使用するバットを複数本差込んで立てかけることができ、容易に運搬できる野球バットスタンドが登録されている（例えば、特許文献１参照。）。
しかし、この考案は、野球グランドで使用するものであり、装飾等の目的とは全く関係がない。
【０００３】
装飾用としては、室内における各種旗類の装飾的かつ審美性に優れた飾り付けを簡便に行うことができるとともに、運搬や収納に便利な構成とすることができる旗立て用装飾スタンドが公開されている（例えば、特許文献２参照。）。
【０００４】
また、丸太材の年輪模様を活かして木質感に溢れる木材装飾体も公開されている（例えば、特許文献３参照。）。
【０００５】
【特許文献１】実用新案登録第３１０５４８８号公報
【特許文献２】特開２００２−１４６３６号公報
【特許文献３】特開平６−２７０５９８号公報
【考案の開示】
【考案が解決しようとする課題】
【０００６】
特許文献１記載の野球バットスタンドは、野球グランドで、一時的に野球バットを保管するもので、装飾又は展示のためのものではない。
特許文献２記載の発明は旗に関する装飾スタンドであり、特許文献３記載の発明は、写真スタンド等に関するものであり、野球バットスタンドとは使用目的が全く異なっている。
本考案は、野球バットを室内の装飾用として、あるいは特別の思い出等がある野球バットを記念のため、保存・展示し、鑑賞するための野球バットスタンドを提供しようとするものである。
【課題を解決するための手段】
【０００７】
本考案は、前記目的を達成するために以下の手段を提供する。
（１）野球バットの柄部を支えて斜めの状態で支持できるようにした支持体と、該支持体を立設するための嵌込み凹部及び前記野球バットの先端部を嵌め込むよう曲面凹部を設けた基盤とからなる装飾野球バットである。
（２）支持体と基盤がそれぞれ高樹齢木質材であることを特徴とする前項（１）記載の装飾野球バットである。
（３）高樹齢木質材が屋久杉であることを特徴とする前項（１）又は（２）記載の装飾野球バットスタンドである。
【０００８】
本考案は、木材の年輪模様を活かして装飾価値を高めようとすることを目的とし、そのためには木目の美しい高樹齢木質材、特に屋久杉材の使用が好ましい。
また独特の質感を与えることができる、長年月、風雨にさらされた風倒木とか流木とかを用いることもできる。
【考案の効果】
【０００９】
以上のようにしてなる本考案によれば、以下に記載するような効果を奏する。
（１）屋久杉材などの高樹齢木質材の有する素材特有の質感が装飾野球バットスタンドの装飾価値を高める効果がある。
（２）室内に置いて装飾美を醸し出すと共に、野球バットを簡単に取り出して素振りなどをすることも出来、また取り出した野球バットを元にもどすことも簡単にできる。
（３）本考案の装飾野球バットスタンドは、簡単に支持体と基盤とに分解でき、また組立ても容易かつ迅速にできる。
【考案を実施するための最良の形態】
【００１０】
以下、本考案を実施するための最良の形態を図に基づいて説明する。
図１は、本考案の実施例を示す斜視図であり、野球バット１と、該野球バットの柄部を支持する支持体２と、該支持体２を立設し、野球バット１の先端部を嵌め込むようにした基盤３とにより構成されている。
野球バット１，支持体２，及び基盤３は、屋久杉材などそれぞれ同じ高樹齢木質材を加工して製作されるか、あるいは、特別の野球バットがあり、それを記念のため展示しようとする場合は、支持体２，基盤３のみを屋久杉材等で製作することもできる。
【００１１】
野球バットを高樹齢木質材で製作するときは、通常の野球バットの形状に加工するが、表面仕上処理して木目を表出させ模様を活かすようにする。
支持体２は、上端部に野球バット１の柄部１ａを支えるべく略Ｙ字状の支持部２ａがあり、下端部に嵌め込み凸部２ｂが設けられている。支持体２の表面はできるだけ無垢原形を残すようにして仕上げする。
【００１２】
基盤３は、野球バット１の先端を傾斜させて載置すべく、野球バット１の先端部１ｂに合わせて設けた曲面凹部３ａと、支持体２の嵌め込み凸部２ｂにあわせて設けた凹部３ｂが設けられている。
【００１３】
前記支持体２と基盤３は、できるだけ屋久杉材などの高樹齢木質材の原形を保つように加工し、表面仕上して装飾美を醸し出すようにする。従って、支持体２、基盤３は加工する部分を除いては、必ずしも図示するような形状にはならない。例えば、基盤３は、自然木を輪切りにして自然木の輪郭をそのまま残すようにするとよい。
【図面の簡単な説明】
【００１４】
【図１】本考案の実施例を示す斜視図である。
【図２】支持体の斜視図である。
【図３】基盤の斜視図である。
【符号の説明】
【００１５】
１  野球バット
１ａ  柄部
１ｂ  先端部
２  支持体
２ａ  支持部
２ｂ  嵌込み凸部
３  基盤
３ａ  曲面凹部
３ｂ  嵌込み凹部
【図１】
0003121335.tif 000003
【図２】
0003121335.tif 000004
【図３】
0003121335.tif 000005
(57)【要約】【課題】  夜間通行時に歩行者や自転車通行者が着用した場合、発光によってほぼ上半身の輪郭を明るく現出し、走行してくる自動車の運手者に注意を喚起できるようにする。【解決手段】  胸側に垂れ下がる前垂れ部３と背中側に垂れ下がる背垂れ部４が肩部２の前後に設けられ、その肩部２で二つ折りして用いる肩掛け１を形成し、肩部２には首挿通口５が開けてあって、肩掛け１の周縁１ａの全周と首挿通口５の口縁５ａの全周にわたって夜間発光帯６ａ，６ｂが設けられている。【選択図】図２
0003121320.tif 000002
【実用新案登録請求の範囲】
【請求項１】
胸側に垂れ下がる前垂れ部と背中側に垂れ下がる背垂れ部を肩部の前後に設けて、その肩部で二つ折りして用いる肩掛けを形成し、肩部には首挿通口が開けてあって、この肩掛けの周縁の全周と首挿通口の口縁の全周にわたって、夜間発光帯が設けられていることを特徴とする夜間交通安全用肩掛け。
【請求項２】
前垂れ部と背垂れ部のほぼ上半部側は首挿通口に向かって次第に幅狭くした勾配が付与されていることを特徴とする請求項１記載の夜間交通安全用肩掛け。
【請求項３】
前垂れ部と背垂れ部上の各下半部側にはデザイン化された夜間発光部が設けられていることを特徴とする請求項１または２記載の夜間交記通安全用肩掛け。
【請求項４】
夜間発光帯は光線反射性塗料により形成されていることを特徴とする請求項１、２または３記載の夜間交記通安全用肩掛け。
【請求項５】
夜間発光帯は夜光塗料により形成されていることを特徴とする請求項１、２または３記載の夜間交通安全用肩掛け。
【考案の詳細な説明】
【技術分野】
【０００１】  本考案は、夜間に歩行者や人が乗った自転車が自動車に衝突される危険防止のために用いる、夜間交通安全用肩掛けに関する。
【考案の開示】
【考案が解決しようとする課題】
【０００２】  照明設備が整っている市街地の明るい道路は別として、郊外や農山村地域等における道路の夜間通行は歩行者には危険が伴うものであり、人身事故等の防止には歩行者と車両運転者のいずれも注意・警戒心が強いられている。ところで、暗い地域では人身事故が発生し易いにもかかわらず、歩行者に対しては公的な安全対策が何も見られないのが現状であって、その解決策が望まれている。因みに、自転車ではペダルや後輪カバーに夜光塗料を施した夜間交通上の安全対策が見受けられるが、その効果は「無いよりはまし」という程度のものであり、特に、歩行者においては車両に対し無防備に等しい状況である。【０００３】  本考案はこのような問題を解決したものであって、その目的は、夜間通行時に効果的に発光して相手側に注意を喚起させる上に有効であり、歩行者の着用している衣服の種類（洋服・和服等）を問わず、男女・子供に至るまで広範囲に使用し得、着脱操作が簡単にできて取扱いに至便であることは勿論、安価である夜間交通安全用肩掛けを提供することにある。
【課題を解決するための手段】
【０００４】  上記目的を達成するために、本考案の特徴とする夜間交通安全用肩掛けは、胸側に垂れ下がる前垂れ部と背中側に垂れ下がる背垂れ部を肩部の前後に設けて、その肩部で二つ折りして用いる肩掛けを形成し、肩部には首挿通口が開けてあって、この肩掛けの周縁の全周と首挿通口の口縁の全周にわたって、夜間発光帯を設けて成るものである。【０００５】  この夜間交通安全用肩掛けにおいて、夜間発光帯の形成には通常の夜光塗料や光線反射顔料（ガラスビーズ）による光線反射性塗料等が用いられ、その塗布幅は２ｃｍ程度である。また、前垂れ部と背垂れ部にも必要に応じてデザイン化された夜間発光部を設けるようにして、本肩掛けの着用が事故防止に更に有効となるように実施することが好ましい。【０００６】  本夜間交通安全用肩掛けの素材には通常の柔軟性を有する繊維が用いられ、展開した全長が１２０ｃｍ程度の大きさであり、前垂れ部と背垂れ部のほぼ上半部側は首挿通口に向かって次第に幅狭くした勾配が付与されていることが好ましい。前垂れ部と背垂れ部には、着用したとき腰に当たる部分に位置させて、紐やマジックテープ（登録商標）等の留め具が取り付けられている。
【考案の効果】
【０００７】  本考案は上記の如くであって、肩掛けを二つ折り状態にして肩部に掛けると、前垂れ部と背垂れ部が胴体の前面と背面を蔽うように垂れ下がるようになるため、夜間通行時に歩行者や自転車通行者が着用した場合、夜間発光帯の部分が発光してほぼ上半身の輪郭を明るく現出し、走行してくる自動車の運手者に注意を喚起して、人身事故等の危険から回避する安全性を発揮できる。また、構成部材の素材は安価な繊維を用いることができる経済性があり、構造が簡単であって着脱が容易にできるきことは勿論、着膨れ等に関係なく誰でも共用できる利点があって、その実用的価値は多大である。
【考案を実施するための最良の形態】
【０００８】  以下に、本考案の実施の一形態を図面を参照して説明する。総括的に符号１で示す肩掛けは、該肩掛け１の中央部分を占める肩部２の前側に胸側に垂れ下がる前垂れ部３が、肩部２の後側に背中側に垂れ下がる背垂れ部４が一体に連設されて、肩部２で二つ折りして肩に掛けることができるように形成されている。肩部２には首挿通口（図示の場合はＶネック形状）５が開けてあり、この肩掛け１の片面（表面側）上の周縁１ａの全周と首挿通口５の口縁５ａの全周にわたって、夜間発光帯６ａ，６ｂが設けられている。【０００９】  夜間発光帯６ａ，６ｂの形成には通常の夜光塗料や光線反射顔料（ガラスビーズ）による光線反射性塗料等が用いられ、その塗布幅は２ｃｍ程度である。また、前垂れ部３と背垂れ部４にも、上記夜間発光帯６ａ，６ｂと同様な発光塗料を用いて、図形等によるデザイン化された夜間発光部７を設け、本肩掛け１の着用が事故防止に更に有効となるように実施する。【００１０】  肩掛け１の素材には一般的には柔軟性を有する通常の繊維が用いられ、展開した全長が１２０ｃｍ程度、肩部の最小幅が３４ｃｍ程度、前垂れ部と背垂れ部の最大幅が４０ｃｍ程度であり、前垂れ部３と背垂れ部４のほぼ上半部側は着用時の違和感をなくすために首挿通口５に向かって次第に幅狭くした勾配が付与されている。また、前垂れ部３と背垂れ部４には、着用したとき腰に当たる部分に位置させて、紐やマジックテープ（登録商標）等の留め具８が取り付けられている。
【図面の簡単な説明】
【００１１】
【図１】  本考案を実施した着用時の形態を示す斜視図である。
【図２】  図１に示すものの展開図である。
【符号の説明】
【００１２】  １は肩掛け、１ａは周縁、２は肩部、２ａは口縁、３は前垂れ部、４は背垂れ部、５は首挿通口、６ａ，６ｂは夜間発光帯、７は夜間発光部である。
【図１】
0003121320.tif 000003
【図２】
0003121320.tif 000004
(57)【要約】      （修正有）【課題】  長傘の持ち方を、手から肩へと移し、危険物とせず、高価な傘忘れ物とせず、邪魔物とせず、傘あづけがある時、そこへ又もどる手間がはぶける、など長傘の手荷物を解消した長傘ショルダーの提供。【解決手段】長方形状袋本体（１）の上部を切り欠いた切り口部（３）を設けて、上部を開放状態にして、その周側に肩ひも（４）を設ける。その肩ひも（４）に上下移動止め具（５）の調整具を設け、本体（１）の中ほどに一方を開口して他方をふさいだポケット（２）を設ける。本考案は、以上の構成からなる長傘入りショルダーである。【選択図】図１
0003121318.tif 000002
【実用新案登録請求の範囲】
【請求項１】
長方形状袋本体の上部を開口して縁部を切り欠いて、上部を開放状態にして、その周側に肩ひもを設け、その肩ひもに上下移動止め具を設け、かつ本体の中ほどにポケットを設けてなる長傘ショルダー
【考案の詳細な説明】
【技術分野】
【０００１】  本考案は長傘の持ち運びを手から肩へと移動し、おしゃれ感を出し、持ち運びを楽にした長傘入ショルダーに関するものである。
【背景技術】
【０００２】  長傘は雨風をしのぐ重要なものであるが、手荷物の多い時、持ち様のない邪魔物である。
車内では、時には危険物となるので、たえず注意を要する物である。
また、忘れ物が多い。
【考案の開示】
【考案が解決しようとする課題】
【０００３】  長傘を持参し、デパート、スーパー等で買物をする時、片手が傘一本のためにふさがれ、自由に買物ができないので、どうにか解決できないものか、と考へ、本考案はこれらの問題点を解決するためになされたものである。
【課題を解決するための手段】
【０００４】  長方形状袋本体の上部を開口して縁部を切り欠いて、上部を開放状態にして、その周側に肩ひもを設け、その肩ひもに上下移動止め具を設け、かつ本体の中ほどにポケットを設けた長傘ショルダーである。
【考案の効果】
【０００５】  傘がいつも身体についているので、車内での危険性も少なく、気に入っている高価な傘を間違えられる事もなく安心である。
また、身体についているので両手を自由に使えるので、品物選びなど自由にできる。
また、傘を預けたときは、また、その場所へ取りにもどらなければならないわずらわしさがなくなる。
また、手から肩へと移動し体にしっかりフィットするので、安全に歩行ができる。
また、長傘を持つ気苦労から開放される。
【考案を実施するための最良の形態】
【０００６】  以下、本考案の実施の形態について説明する
（イ）長方形状袋本体（１）の上部を切り欠いた切り口部（３）を設けて、上部を開放状態にして、その周側に肩ひも（４）を設ける。
（ロ）その肩ひも（４）に上下移動止め具（５）の調整具を設け、本体（１）の中ほどに一方を開口して他方をふさいだポケット（２）を設ける。
本考案は以上の構成からなる長傘入ショルダーである。
次に、本考案の使用法について説明する。
雨降りの時、外出時に長傘（７）を使用した時、駅やデパート等、雨に濡れない場所に着いたとき、あらかじめハンドバック等に折りたたんでいた本体（１）をとり出し、傘（７）を本体（１）の上から挿入する。
その際、本体（１）にビニール袋（６）をあらかじめ挿入しているときは、そのビニール袋（６）に入れることで、本体（１）は濡れることはない。
もちろん本体（１）に濡れ防止の素材を用いる場合は、その必要性がないことは当然である。
本体（１）の上部に肩ひも（４）の調整用の上下移動止め具（５）を設けているので、身長に合せて長さを調整する。
この状態を図示したのが図８である。
なお肩ひも（４）の一端に上下移動止め具（５）が抜けないよう硬い芯となる肩山（８）を設けている。
なお、ポケット（２）には、ビニール袋（６）を入れたり、小銭を入れたりするための収納室である。
このように、必要度に長傘がいつも身体についているので、他人に迷惑をかけず、安心して歩行、ショピングができるなどの効果もある。
【図面の簡単な説明】
【０００７】
【図１】  本考案の斜視図である。
【図２】  本考案に使用する場合のビニール袋の斜視図である。
【図３】  本考案の一使用例図である。
【図４】  本考案の使用説明図である。
【図５】  本考案のポケットの使用説明図である。
【図６】  本考案の調整具上下移動止め具の斜視図である。
【図７】  本考案の肩ひもの部分説明図である。
【図８】  本考案の装着使用説明図である。
【符号の説明】
【０００９】  １  本体
２  ポケット
３  切り口部
４  肩ひも
５  上下移動止め具
６  ビニール袋
【図１】
0003121318.tif 000003
【図２】
0003121318.tif 000004
【図３】
0003121318.tif 000005
【図４】
0003121318.tif 000006
【図５】
0003121318.tif 000007
【図６】
0003121318.tif 000008
【図７】
0003121318.tif 000009
【図８】
0003121318.tif 000010
(57)【要約】【課題】    ゴミの分別化によって多くなったゴミ袋が台所の作業効率を悪くし衛生的にも問題があった。又、ゴミの出し入れの際  そのつどゴミ袋の口をほどいたりしばったりと手間がかかった。【解決手段】ゴミ袋を一ケ所にまとめて収納するために組立式軽量パイプの枠組にスライドバ−を取り付けて、それにゴミ袋をセットし、投入口は磁石により開閉可能とし、しばったりほどいたりの手間をはぶいた。【選択図】図１
0003121317.tif 000002
【実用新案登録請求の範囲】
【請求項１】
組立式軽量パイプ枠組にスライドバ−を取り付けて  それにゴミ袋をセットし、投入口は磁石で開閉可能とした組立式分別ゴミ袋収納セットである。
【考案の詳細な説明】
【技術分野】
【０００１】  本考案は、分別したゴミ袋をコンパクトに収納するために組立式軽量パイプの枠組にスライドバ−を取り付けて  それにゴミ袋をセットし、投入口は磁石で開閉可能とした組立式分別ゴミ袋収納セットである。
【背景技術】
【０００２】  ゴミの分別化によって台所のゴミ袋の量が多くなり、足元が狭くなる等の不具合があった。
【考案の開示】
【考案が解決しょうとする課題】
【０００３】  多くなったゴミ袋が台所の作業効率を悪くし衛生的にも問題があった。又、ゴミの出し入れの際  そのつどゴミ袋の口をほどいたりしばったりと手間がかかった。
【課題を解決するための手段】
【０００４】  ゴミ袋を一ケ所にまとめて収納するために組立式軽量パイプの枠組にスライドバ−を取り付けて  それにゴミ袋をセットし、投入口は磁石により開閉可能とし、しばったりほどいたりの手間をはぶいた。
【考案の効果】
【０００５】  分別したゴミ袋を一ケ所にまとめて収納すれば見た目もいいし動線も確保でき投入口を磁石でキッチリ締めれば衛生的にも良い。
【考案の実施するための最良の形態】
【０００６】  組立式軽量パイプの枠組１にスライドバ−２を取り付けて  それにゴミ袋４をセットし投入口は磁石３で開閉可能とした。
【図面の簡単な説明】
【０００７】
【図１】  本考案の組立式分別ゴミ袋収納セットの一実施例を示す斜視図である。
【図２】  ゴミ袋の投入口を開いた状態の斜視図である。
【図３】  ゴミ袋の投入口を閉めた状態の斜視図である。
【符号の説明】
【０００８】      １  組立式軽量パイプ枠組
２  スライドバ−
３  磁石
４  ゴミ袋
【図１】
0003121317.tif 000003
【図２】
0003121317.tif 000004
【図３】
0003121317.tif 000005
(57)【要約】      （修正有）【課題】イスに座っても裾が上がらず寒くないようにするズボンを提供する。【解決手段】ズボンの膝部分２に布３，または布を足すことにより伸縮性を示すことで、どのような姿勢においても自由に膝の曲げ伸ばしをすることが出来動きやすい。また、裾の上がりを防げるので寒さも予防出来る。【選択図】図１
0003121312.tif 000002
【実用新案登録請求の範囲】
【請求項１】
膝が当たる部位が前側に膨出した形状となっているズボン。
【考案の詳細な説明】
【技術分野】
【０００１】本考案はズボンに関する。
【背景技術】
【０００２】従来からのズボンは脚部の材質が非伸縮性の布で構成されたものが多い。しかしながら脚部などの引張力が加わる部位においては着席またはしゃがむ際、膝が突っ張ったり、それによって裾が上がってしまう。そこで膝の曲げ動作及び脚部の長さを調節する種々の考案がされている（特許文献１，２参照）。【０００３】
【特許文献１】  実用新案登録第３０５６４９６号公報
【特許文献２】  実用新案登録第３１０７０８６号公報
【考案が解決しようとする課題】
【０００４】本考案の課題は、着席したとき、膝部が突っ張ったり、それによって裾が上がってしまうのを防止出来るズボンを提供することにある。
【課題を解決するための手段】
【０００５】上記課題を解決するために本考案が提供するズボンは膝が当たる部位が前側に膨出した形状となるものである。
【考案の効果】
【０００６】このような構成とすることで、膝部位が膝の伸縮を吸収し、着座状態においてズボンの裾が上がらず寒さが防げる。また膝部も突っ張り感が無くなり、動きやすいズボンを提供することが可能となる。
【実施例】
【０００７】以下、本考案の実施の形態を図面に基づき説明する。【０００８】
【実施例１】実施例１のズボン１は図１と、図２と、図３である。
通常のズボンの膝部位をカットして除去しておき、そこに図１に示すように横方向にギャザーを入れた布、図２の３を縫いつけて作ったものである。
【実施例２】実施例２のズボン１は図４と、図５である。
実施例１と同様にカットして除去した膝部位に、あらかじめ作成しておいた図４に示すような椀型のパッド状のもの６を取り付けたものである。
【図面の簡単な説明】
【図１】  考案したズボンの状況を示す平面図である。
【図２】  膝の伸縮を吸収する布である。
【図３】  図２の布を膝部に縫いつけた側面図である。
【図４】  膝の伸縮を吸収する椀型のパッド状の布である。
【図５】  図４の布を膝部に縫いつけた側面図である。
【符号の説明】
１  ズボンの本体
２  カット部分
３  伸びを吸収する大きさの布
４  ギャザー部分。
５  椀型をしたパッド状の布
【図１】
0003121312.tif 000003
【図２】
0003121312.tif 000004
【図３】
0003121312.tif 000005
【図４】
0003121312.tif 000006
【図５】
0003121312.tif 000007